(57)【要約】【課題】熱転写プリンター１が印字待機状態に長時間放置されていても、熱転写印字用印字媒体（リストバンド連続体３０）の停止位置において熱転写インクリボン２０のインクが転移しにくく、熱転写印字用印字媒体側に熱転写インクリボン２０のインクが転移して汚すことを防止可能な熱転写印字用印字媒体およびその汚れ防止方法を提供すること。【解決手段】熱転写印字用印字媒体３０における印字待機領域のみにおける印字適性を低下させることに着目し、媒体本体６の一部に印字部５による印字を行う印字領域１４を有し、印字領域１４とは異なる領域であって、印字部５においてサーマルヘッド１８およびプラテンローラー１９に挟持されるとともに、熱転写プリンター１による印字動作が停止状態となる印字待機領域を、熱転写インクリボン２０のインクが転移しないインク非転移領域３２とする。【選択図】図１
2014048439.tif 000002
【特許請求の範囲】
【請求項１】
サーマルヘッドおよびプラテンローラーを有する印字部において熱転写インクリボンを用いて熱転写印字方式による印字を行う熱転写プリンターに装填して印字するための熱転写印字用印字媒体であって、
媒体本体を有し、
この媒体本体は、その一部に前記印字部による前記印字を行う印字領域を有し、
この印字領域とは異なる領域であって、前記印字部において前記サーマルヘッドおよび前記プラテンローラーに挟持されるとともに、前記熱転写プリンターによる印字動作が停止状態となる印字待機領域を、前記熱転写インクリボンのインクが転移しないインク非転移領域としていることを特徴とする熱転写印字用印字媒体。
【請求項２】
前記インク非転移領域は、当該熱転写印字用印字媒体の移送方向において前記印字領域の下流側に、当該熱転写印字用印字媒体の幅方向にわたってこれを設けていることを特徴とする請求項１記載の熱転写印字用印字媒体。
【請求項３】
前記媒体本体は、前記印字領域以外の他機能領域を有し、この他機能領域と前記印字領域の境界部に前記インク非転移領域を設けたことを特徴とする請求項１または２記載の熱転写印字用印字媒体。
【請求項４】
前記インク非転移領域には、紫外線硬化型のインクをあらかじめ印刷してあることを特徴とする請求項１ないし３のいずれかに記載の熱転写印字用印字媒体。
【請求項５】
前記インク非転移領域には、メジュームをあらかじめ印刷してあることを特徴とする請求項１ないし４のいずれかに記載の熱転写印字用印字媒体。
【請求項６】
サーマルヘッドおよびプラテンローラーを有する印字部において熱転写インクリボンを用いて熱転写印字方式による印字を行う熱転写プリンターに装填して印字するための熱転写印字用印字媒体の汚れ防止方法であって、
前記熱転写印字用印字媒体の媒体本体は、その一部に前記印字部による前記印字を行う印字領域を有し、
この印字領域とは異なる領域であって、前記印字部において前記サーマルヘッドおよび前記プラテンローラーに挟持されるとともに、前記熱転写プリンターによる印字動作が停止状態となる印字待機領域を、前記熱転写インクリボンのインクが転移しないインク非転移領域とし、
このインク非転移領域における前記熱転写印字用印字媒体の汚れを防止することを特徴とする熱転写印字用印字媒体の汚れ防止方法。
【発明の詳細な説明】
【技術分野】
【０００１】
本発明は熱転写印字用印字媒体およびその汚れ防止方法にかかるもので、とくに熱転写インクリボンを用いた熱転写印字方式による熱転写プリンターに装填される熱転写印字用印字媒体およびその汚れ防止方法に関するものである。
【背景技術】
【０００２】
従来から、熱転写インクリボンを用いた熱転写印字方式による熱転写プリンターが知られている。
図２にもとづき概説する。
図２は、従来からの熱転写プリンター１および熱転写プリンター１に装填して印字するための熱転写印字用印字媒体（たとえばリストバンド連続体２およびそのリストバンド１０）の概略説明図であって、図２（１）は、熱転写プリンター１の概略側面図、図２（２）は、リストバンド連続体２の平面図、図２（３）は、リストバンド連続体２の裏面図である。
熱転写プリンター１は、リストバンド連続体２の供給部３と、検出部４と、印字部５と、を有する。
【０００３】
リストバンド連続体２は、その層構造として、患者や入場者の手首ないし足首に巻き付けるリストバンドとして必要な層構造を採用した媒体本体６からこれを構成しているものとする。
媒体本体６をミシン目などによる切取り部７で切り取ることにより、上記巻付けに必要な長さを有する単葉のリストバンド供給体８に分離可能となっている。
それぞれのリストバンド供給体８は、細長枠状のリストバンド支持領域９と、帯状のリストバンド１０と、を有し、リストバンド支持領域９とリストバンド１０との間に形成したハーフカットなどによる分離線１１においてリストバンド１０をリストバンド支持領域９から分離可能である。
【０００４】
リストバンド１０は、その両端部にそれぞれ複数個のセット孔１２（図示の例では、２個）および調節孔１３（図示の例では、９個）を貫通形成してあって、セット孔１２と調節孔１３との間の領域を熱転写プリンター１による印字領域１４としている。なお、セット孔１２および調節孔１３の組み合わせを選択し、固定具（図示せず）によってリストバンド１０をリング状に形成して患者などの手首あるいは足首に取り付け可能とする。
印字領域１４には、患者その他特定が必要な者に関する氏名や年齢、バーコードや二次元コードなど必要な可変情報ないし管理情報を印字する。
図２（３）に示すように、それぞれのリストバンド供給体８（リストバンド支持領域９）の裏面側には、位置検出用マーク１５をあらかじめ印刷してある。
【０００５】
上記セット孔１２および調節孔１３を形成した媒体本体６（リストバンド１０）の領域は、印字領域１４とは異なる機能すなわち、リストバンド１０の取付け固定という他の機能を発揮するための他機能領域１６であって、図２（２）に図示の例では、調節孔１３側の他機能領域１６が印字部５より下流側に移送されており、リストバンド１０は、この他機能領域１６の上流側に位置する印字領域１４への印字の待機状態にある。
なお、他機能領域１６としては、上記可変情報を印字するための印字領域１４とは異なって、リストバンド１０を使用する病院名などの固定情報（図示せず）をあらかじめ印刷し表示しておくための領域もある。
【０００６】
熱転写プリンター１における供給部３は、リストバンド連続体２をロール状に保持するとともに、検出部４および印字部５方向にリストバンド連続体２を帯状に繰り出し可能とする。
【０００７】
検出部４は、位置検出センサー１７を有し、リストバンド連続体２の位置検出用マーク１５を検出してリストバンド連続体２（リストバンド供給体８）の印字部５に対する相対的位置を検出可能とする。
【０００８】
印字部５は、サーマルヘッド１８と、プラテンローラー１９と、熱転写インクリボン２０の供給軸２１および巻取り軸２２と、を有する。
サーマルヘッド１８およびプラテンローラー１９の間に、熱転写プリンター１を熱転写インクリボン２０とともに所定印字圧で挟持し、プラテンローラー１９の回転駆動によりこれらを移送するとともに、サーマルヘッド１８の発熱素子１８Ａへの印字データの供給により、リストバンド１０の印字領域１４に必要な情報を印字する。
【０００９】
なお、図２（１）、（２）、（３）の各図は、上述のように、熱転写プリンター１に装填して印字されるリストバンド連続体２が印字待機状態にあることを示している。印字部５の下流側は、調節孔１３の列を有する他機能領域１６が位置する。リストバンド連続体２におけるリストバンド供給体８のほぼ中央位置が印字部５のサーマルヘッド１８およびプラテンローラー１９に挟持された状態にあり、印字開始信号により、リストバンド供給体８の印字領域１４が印字されることになる。
【００１０】
こうした構成の熱転写プリンター１およびリストバンド連続体２において、熱転写プリンター１は、サーマルヘッド１８およびプラテンローラー１９を有する印字部５において熱転写インクリボン２０を用いて熱転写印字方式による印字を行う。
一方、熱転写プリンター１が印字動作を行わずに、リストバンド連続体２が印字部５のサーマルヘッド１８および回転停止状態のプラテンローラー１９の間における印字圧力で長時間にわたって押圧されたまま待機することがある。この印字待機状態、いわゆるヘッドロック状態では、熱転写インクリボン２０のインクの一部がリストバンド供給体８の印字領域１４に移行してリストバンド供給体８に転移し、横スジ汚れ２３となってリストバンド供給体８の表面が汚れることがある。
リストバンド供給体８の汚れは、その体裁はもちろん清潔感に劣るという問題がある。さらに、印字領域１４にバーコードその他光学的に読み取り可能な印字がある場合に、その近傍に汚れがあることは読取りエラーにつながりかねないという問題もある。
【００１１】
このような問題は、リストバンド連続体２に限らず、熱転写印字方式による熱転写プリンターに装填される一般的なラベルないしそのラベル連続体、さらにはタグ連続体やチケットの連続体のような印字媒体でも発生する可能性がある問題であって、その解決が要望されている。
【先行技術文献】
【特許文献】
【００１２】
【特許文献１】特開２００４−１９７２６６号公報
【発明の概要】
【発明が解決しようとする課題】
【００１３】
本発明は以上のような諸問題にかんがみなされたもので、熱転写プリンターが長時間ヘッドロック状態（印字待機状態）で放置されていても、リストバンド連続体やラベル連続体などの熱転写印字用印字媒体側に熱転写インクリボンのインクが転移して汚すことを防止可能な熱転写印字用印字媒体およびその汚れ防止方法を提供することを課題とする。
【００１４】
また本発明は、熱転写印字用印字媒体の停止位置において熱転写インクリボンのインクが転移しにくい熱転写印字用印字媒体およびその汚れ防止方法を提供することを課題とする。
【００１５】
また本発明は、印字領域の開始位置のわずかに下流側における領域の印字適性を低下させた熱転写印字用印字媒体およびその汚れ防止方法を提供することを課題とする。
【課題を解決するための手段】
【００１６】
すなわち本発明は、リストバンド連続体やラベル連続体などにおける印字待機領域のみにおける印字適性を低下させることに着目したもので、第一の発明は、サーマルヘッドおよびプラテンローラーを有する印字部において熱転写インクリボンを用いて熱転写印字方式による印字を行う熱転写プリンターに装填して印字するための熱転写印字用印字媒体であって、媒体本体を有し、この媒体本体は、その一部に上記印字部による上記印字を行う印字領域を有し、この印字領域とは異なる領域であって、上記印字部において上記サーマルヘッドおよび上記プラテンローラーに挟持されるとともに、上記熱転写プリンターによる印字動作が停止状態となる印字待機領域を、上記熱転写インクリボンのインクが転移しないインク非転移領域としていることを特徴とする熱転写印字用印字媒体である。
【００１７】
第二の発明は、サーマルヘッドおよびプラテンローラーを有する印字部において熱転写インクリボンを用いて熱転写印字方式による印字を行う熱転写プリンターに装填して印字するための熱転写印字用印字媒体の汚れ防止方法であって、上記熱転写印字用印字媒体の媒体本体は、その一部に上記印字部による上記印字を行う印字領域を有し、この印字領域とは異なる領域であって、上記印字部において上記サーマルヘッドおよび上記プラテンローラーに挟持されるとともに、上記熱転写プリンターによる印字動作が停止状態となる印字待機領域を、上記熱転写インクリボンのインクが転移しないインク非転移領域とし、このインク非転移領域における上記熱転写印字用印字媒体の汚れを防止することを特徴とする熱転写印字用印字媒体の汚れ防止方法である。
【００１８】
上記インク非転移領域は、当該熱転写印字用印字媒体の移送方向において上記印字領域の下流側に、当該熱転写印字用印字媒体の幅方向にわたってこれを設けていることができる。
【００１９】
上記媒体本体は、上記印字領域以外の他機能領域を有し、この他機能領域と上記印字領域の境界部に上記インク非転移領域を設けることができる。
【００２０】
上記インク非転移領域には、紫外線硬化型のインクをあらかじめ印刷してあることができる。
【００２１】
上記インク非転移領域には、メジュームをあらかじめ印刷してあることができる。
【発明の効果】
【００２２】
本発明による熱転写印字用印字媒体およびその汚れ防止方法においては、リストバンド連続体やラベル連続体など熱転写印字用印字媒体が、その停止位置において長時間にわたって熱転写インクリボンとともにサーマルヘッドおよびプラテンローラーの間で所定押圧力を受けていても、熱転写インクリボンのインクが熱転写印字用印字媒体に転移することを抑制し、結果として、熱転写印字用印字媒体の印字待機領域を汚すことなく、横スジ汚れなど表面の汚れの発生を防止することができる。
【００２３】
とくに第一の発明による熱転写印字用印字媒体によれば、熱転写プリンターによる印字動作が停止状態となる印字待機領域を、熱転写インクリボンのインクが転移しないインク非転移領域としてあるので、熱転写印字用印字媒体に汚れを発生させることがない。
【００２４】
とくに第二の発明による熱転写印字用印字媒体の汚れ防止方法によれば、熱転写プリンターによる印字動作が停止状態となる印字待機領域を、熱転写インクリボンのインクが転移しないインク非転移領域とし、このインク非転移領域における熱転写印字用印字媒体の汚れを防止する用にしたので、清潔感をもっておよび体裁良好に熱転写印字用印字媒体を使用することができる。
【図面の簡単な説明】
【００２５】
【図１】本発明の実施例による熱転写印字用印字媒体（たとえばリストバンド連続体３０およびそのリストバンド３１）を装填する熱転写プリンター１および熱転写プリンター１に装填する熱転写印字用印字媒体（リストバンド連続体３０）の概略説明図であって、図１（１）は、熱転写プリンター１の概略側面図、図１（２）は、リストバンド連続体３０の平面図である。
【図２】従来からの熱転写プリンター１および熱転写プリンター１に装填して印字するための熱転写印字用印字媒体（たとえばリストバンド連続体２およびそのリストバンド１０）の概略説明図であって、図２（１）は、熱転写プリンター１の概略側面図、図２（２）は、リストバンド連続体２の平面図、図２（３）は、リストバンド連続体２の裏面図である。
【発明を実施するための形態】
【００２６】
本発明は、リストバンド連続体やラベル連続体などにおける印字待機領域のみにおける印字適性を低下させるようにしたので、横スジ汚れなどを防止することができる熱転写印字用印字媒体およびその汚れ防止方法を実現した。
【実施例】
【００２７】
つぎに本発明の実施例による熱転写印字用印字媒体およびその汚れ防止方法をリストバンド連続体３０（およびそのリストバンド３１）に応用した例を取って、図１にもとづき説明する。ただし、図２と同様の部分には同一符号を付し、その詳述はこれを省略する。
図１は、図２（１）と同じ熱転写プリンター１および熱転写プリンター１に装填する熱転写印字用印字媒体（たとえばリストバンド連続体３０およびそのリストバンド３１）の概略説明図であって、図１（１）は、熱転写プリンター１の概略側面図、図１（２）は、リストバンド連続体３０の平面図である。なお、リストバンド連続体３０の裏面は、既述のリストバンド連続体２（図２）と同一であるので、その図示を省略してある。
【００２８】
リストバンド連続体３０は、既述のリストバンド連続体２と同様に、媒体本体６の一部に印字部５による印字を行う印字領域１４を有するが、セット孔１２および調節孔１３を形成している領域を印字領域１４以外の他機能領域１６としている。
さらにリストバンド連続体３０は、媒体本体６をミシン目などによる切取り部７で切り取ることにより、巻付けに必要な長さを有する単葉のリストバンド供給体８に分離可能となっている。
それぞれのリストバンド供給体８は、細長枠状のリストバンド支持領域９と、帯状のリストバンド３１と、を有し、リストバンド支持領域９とリストバンド３１との間に形成したハーフカットなどによる分離線１１においてリストバンド３１をリストバンド支持領域９から分離可能である。
【００２９】
とくにリストバンド３１において、印字領域１４とは異なる領域であって、印字部５においてサーマルヘッド１８および回転停止状態のプラテンローラー１９に挟持されるとともに、熱転写プリンター１による印字動作が停止状態となる印字待機領域を、熱転写インクリボン２０のインクが転移しないインク非転移領域３２としている。
なお、印字領域１４への印字タイミングとしては、印字データの内容に応じて、このインク非転移領域３２が印字部５から下流側に移送されて離れると直ちに印字を開始する場合と、インク非転移領域３２が印字部５より下流側に移送されても直ぐには印字を行わず、所定の間隔をあけて印字を開始する場合と、がある。
このインク非転移領域３２は、調節孔１３側の他機能領域１６の一部であって、調節孔１３側の他機能領域１６と印字領域１４の境界部にこれを設けているもので、より詳しくは、リストバンド連続体３０の移送方向において、印字領域１４の下流側に、リストバンド連続体３０の幅方向にわたってこれを設けている。
インク非転移領域３２は、リストバンド３１の少なくとも幅方向にこれを設ければよいものであるが、加工処理上から、あるいはリストバンド連続体３０が熱転写プリンター１による移送印字中にわずかに蛇行した場合などに備えて、リストバンド供給体８の全幅にわたってこれを設けておくことが望ましい。
【００３０】
インク非転移領域３２には、熱転写インクリボン２０のインクが転移しない、ないしは転移しにくいインク、たとえば紫外線硬化型のインク、あるいはメジュームをあらかじめ印刷してあることにより、リストバンド３１の表面が本来有する受像性が損なわれ、印字適性が低下ないし印字不可能としている。
これらのインクは、透明であることが望ましいが、前記横スジ汚れ２３（図２（２））などによる汚れとは異なる必要な表示機能あるいは識別機能を発揮するために着色したものであってもよい。
【００３１】
こうした構成のリストバンド連続体３０において、図１（１）に示すような印字待機状態において、リストバンド連続体３０は、熱転写インクリボン２０とともに、印字部５のサーマルヘッド１８およびプラテンローラー１９に所定の印字圧力で押圧されたままであるが、この押圧部分が、インク非転移領域３２となっているので、長時間にわたる押圧状態の継続があっても、熱転写インクリボン２０のインクがリストバンド連続体３０に転移することがなく、従来のような横スジ汚れ２３が発生することを回避可能である。
【００３２】
かくして、リストバンド連続体３０は、それぞれの単葉のリストバンド３１として利用する際に、横スジ汚れ２３がなく、清潔感をもって利用することができる。
【００３３】
熱転写印字用印字媒体としてリストバンド連続体の他、たとえばラベル連続体、タグ連続体やチケットの連続体のような印字媒体を用いた場合にも、上述と同様に、横スジ汚れ２３を発生させることがなく、体裁良好かつ清潔感を保持するとともに、バーコードその他光学的な読取りデータが近傍にあるような場合にも読取りエラーを回避することができる。
【符号の説明】
【００３４】
１  熱転写プリンター（図１、図２）
２  リストバンド連続体（熱転写印字用印字媒体、図２）
３  供給部
４  検出部
５  印字部
６  媒体本体
７  ミシン目などによる切取り部
８  リストバンド供給体
９  リストバンド支持領域
１０  リストバンド（熱転写印字用印字媒体、図２）
１１  分離線
１２  セット孔
１３  調節孔
１４  印字領域
１５  位置検出用マーク
１６  他機能領域
１７  位置検出センサー
１８  サーマルヘッド
１８Ａ  サーマルヘッド１８の発熱素子
１９  プラテンローラー
２０  熱転写インクリボン
２１  供給軸
２２  巻取り軸
２３  横スジ汚れ
３０  リストバンド連続体（熱転写印字用印字媒体、実施例、図１）
３１  リストバンド（熱転写印字用印字媒体、実施例、図１）
３２  インク非転移領域
【図１】
2014048439.tif 000003
【図２】
2014048439.tif 000004